(57)【特許請求の範囲】
【請求項１】
商品を購入するために投入された貨幣の総額を算出する総額算出手段と；
前記商品に対応する口座を表示する口座表示手段と；
前記算出された貨幣の総額に基づいて所定の口座を画定する口座画定手段と；
前記画定された口座を、前記表示された口座より大きく拡大して表示する、口座拡大表示手段と；
前記口座表示手段により前記商品に対応する口座が表示される第１表示部と；
前記口座表示手段により前記商品の購入方法に関する情報の案内文が表示される、前記第１表示部とは異なる第２表示部とを備え；
前記拡大表示は、継続的に表示させる必要のない、前記第２表示部の他の表示を消去して、当該他の表示に代えて前記第２表示部に表示させるように構成された；
自動販売機。
【請求項２】
商品を購入するために投入された貨幣の総額を算出する総額算出手段と；
前記商品に対応する口座を表示する口座表示手段と；
前記算出された貨幣の総額に基づいて所定の口座を画定する口座画定手段と；
前記画定された口座を、前記表示された口座より大きく拡大して表示する、口座拡大表示手段と；
前記口座表示手段により前記商品に対応する口座が複数表示される第１表示部とを備え；
前記拡大表示は、継続的に表示させる必要のない、他の表示を消去して、当該他の表示に代えて表示させるように構成され；
前記消去された他の表示が前記第１表示部の下側２行の表示であり；
前記拡大表示は、前記下側２行の表示を消去したスペースに表示されたものである；
自動販売機。
【請求項３】
前記貨幣を逆両替し、金種ごとの逆両替枚数を演算する逆両替演算手段を備え；
前記口座画定手段がさらに前記逆両替枚数に基づいて所定の口座を画定するよう構成された；
請求項１または請求項２に記載の自動販売機。
【請求項４】
前記口座画定手段は、前記総額をＴ円とし、前記逆両替された貨幣の金種の最高額をＰ円とし、前記最高額の金種の逆両替枚数をＸ枚とし、
前記逆両替された貨幣が前記最高額の金種のみの場合は、Ｐ×（Ｘ−１）円を超え、Ｔ円以下の口座を前記所定の口座とするように構成され、
前記逆両替された貨幣が前記最高額以外の金種をも含む場合は、Ｐ×Ｘ円を超え、Ｔ円以下の口座を前記所定の口座とするように構成された；
請求項３に記載の自動販売機。
【請求項５】
前記口座画定手段は、前記総額を上限とし、予め定められた数の口座を前記所定の口座とするように構成された；
請求項１または請求項２に記載の自動販売機。
【請求項６】
前記拡大表示は、口座が選択されずに所定の時間が経過したときにされるように構成された；
請求項１乃至請求項５のいずれか１項に記載の自動販売機。
【請求項７】
前記口座拡大表示手段を作動させる作動ボタンを備える；
請求項１乃至請求項６のいずれか１項に記載の自動販売機。
【発明の詳細な説明】
【０００１】
【発明の属する技術分野】
本発明は、自動販売機に関し、特に投入された貨幣の金種、総額によって口座表示を拡大する自動販売機に関するものである。
【０００２】
【従来の技術】
乗車距離（区数）によって異なる運賃を７セグメントのＬＥＤ（図８参照）で表示する口座選択ボタンが接客面に配置された自動券売機が一般に普及している。ＬＥＤの７セグメントの点滅の組み合わせにより０〜９の数字が表示され、利用者が口座選択ボタンを押すことによって口座が選択され、口座に対応する乗車券等が販売される。また、ＬＣＤとタッチパネルの組み合わせにより口座を表示し、利用者に表示箇所を触れさせて選択を行わせ、乗車券等を販売する自動券売機も出現している。
【０００３】
【発明が解決しようとする課題】
以上のような従来の自動券売機では、７セグメントのＬＥＤで表示された口座の運賃表示は、読み取りにくいという問題が生じている。特に、老眼の場合には、口座に表示された運賃を読み取れないことが多く、弱者保護の観点からは大きな問題となっている。
【０００４】
一方、ＬＣＤとタッチパネルを組み合わせる運賃表示も同様に、読み取りにくいという問題が生じている。この組み合わせの運賃表示口座において、７セグメントの選択ボタンと同じように口座を配置しただけでは、配置しなければならない口座数との関係により、口座の運賃表示を十分に大きなものとするには自ずから限界があるからである。
【０００５】
そこで本発明は、視力弱者でも口座表示をはっきりと読み取ることができ、希望する口座の商品を購入することのできる自動販売機を提供することを目的としている。
【０００６】
【課題を解決するための手段】
上記目的を達成するために、第１の態様に係る発明による自動販売機は、図１に示すように、商品を購入するために投入された貨幣の総額を算出する総額算出手段１５と；前記商品に対応する口座を表示する口座表示手段２５と；前記算出された貨幣の総額に基づいて所定の口座を画定する口座画定手段２１と；前記画定された口座を、前記表示された口座より大きく拡大して表示する、口座拡大表示手段２６とを備える。
【０００７】
このように構成すると、総額算出手段と、口座表示手段と、口座画定手段と、口座拡大表示手段とを備えるので、利用者が投入した貨幣の総額を算出し、算出された総額に基づいて所定の口座、例えば利用者が購入したいと推測される商品の口座を画定し、画定した口座を口座拡大表示手段で拡大表示することができる。よって、視力の弱い者でも口座を読み取ることができ、希望する口座を容易に選択し商品を購入することができる。商品の購入には、役務の提供を受けること、役務の提供と引き換える引換券の購入を含むものとする。商品に対応する口座を表示した上、同時に画定した口座を拡大表示するとよい。
【０００８】
第２の態様に係る発明による自動販売機は、第１の態様に記載の自動販売機において、前記貨幣を逆両替し、金種ごとの逆両替枚数を演算する逆両替演算手段を備え；前記口座画定手段がさらに前記逆両替枚数に基づいて所定の口座を画定するよう構成されている。
【０００９】
このように構成すると、逆両替演算手段を備えるので、利用者が投入した貨幣を逆両替し、金種ごとの逆両替枚数を演算し、口座画定手段が前記逆両替枚数に基づいて所定の口座を画定する。利用者がある金種の貨幣の持ち合わせがない場合、利用者が手持ちの貨幣枚数を減らしたい場合、額のより低い金種の貨幣を代わりに投入することがある。これらの場合でも、そのある金種を投入した場合と同様に取り扱い、所定の口座の画定を行うことができる。例えば百円硬貨が１枚足りない場合に五十円硬貨２枚で代用したときに、百円硬貨を１枚投入した場合と同様に取り扱うことができる。
【００１０】
ここで逆両替とは、投入された貨幣の総額に基づき、自動販売機が取り扱う各金種への枚数の割り振りを、割り振り後の各金種の各合計金額が、より高額な金種の貨幣１枚の額に達しないように行うことをいう。逆両替枚数とは、このように割り振られた各金種の枚数をいう。
【００１１】
第３の態様に係る発明による自動販売機は、第２の態様に記載の自動販売機において、前記口座画定手段は、前記総額をＴ円とし、前記逆両替された貨幣の金種の最高額をＰ円とし、前記最高額の金種の逆両替枚数をＸ枚とし、前記逆両替された貨幣が前記最高額の金種のみの場合は、Ｐ×（Ｘ−１）円を超え、Ｔ円以下の口座を前記所定の口座とするように構成され、前記逆両替された貨幣が前記最高額以外の金種をも含む場合は、Ｐ×Ｘ円を超え、Ｔ円以下の口座を前記所定の口座とするように構成されている。
【００１２】
口座画定手段をこのように構成したので、利用者が投入した貨幣の総額Ｔ円から逆両替演算し、最高額Ｐ円の金種の貨幣のみ投入し、その枚数がＸ枚であると考えることができる場合に、購入商品の口座の額をＱ円とれば、  Ｐ×（Ｘ−１）＜Ｑ≦Ｔ（Ｔ＝Ｐ×Ｘ）  であると推測できる。最高額Ｐ円の金種の貨幣をＸ枚投入し、最高額以外の金種を含むと逆両替演算により考えることができる場合、Ｐ×Ｘ＜Ｑ≦Ｔ  であると推測できる。よって、これらの範囲内にある口座を所定の口座とし、拡大表示をすることができる。
【００１３】
例えば百円硬貨１枚、五十円硬貨２枚が投入された場合、口座が図２に示すように構成されているとすれば、所定の口座は、１０１円から２００円に含まれる口座、すなわち１２０、１３０、１５０、１７０、１９０、２００円の口座である。百円硬貨２枚、五十円硬貨１枚、十円硬貨４枚が投入された場合であれば、所定の口座は、２０１円から２９０円に含まれる口座、すなわち２３０、２４０、２７０、２８０、２９０円の口座である。百円硬貨３枚が投入された場合であれば、２０１円から３００円に含まれる口座、すなわち２３０，２４０、２７０、２８０、２９０円の口座である。
【００１４】
第４の態様に係る発明による自動販売機は、第１の態様に記載の自動販売機において、前記口座画定手段は、前記総額を上限とし、予め定められた数の口座を前記所定の口座とするように構成されている。
【００１５】
典型的には、予め定められた口座の数は、口座拡大表示手段によって同時に表示できる口座の数にするとよい。口座の画定は口座の順序を連続させて行い、飛ばされて表示されない口座がないようにすることが望ましい。また、口座の数を予め定めるに際し、流通している所定の貨幣１枚分の額刻みに、口座の数を数え、最大の数を予め定められた数としてもよい。すなわち、例えば１００円刻み、あるいは千円刻みに、口座の数をそれぞれ数え、最大の数を予め定められた数としてもよい。
【００１６】
第５の態様に係る発明による自動販売機は、第１の態様乃至第４の態様のいずれか１の態様に記載の自動販売機において、前記拡大表示は、口座が選択されずに所定の時間が経過したときにされるように構成されている。
【００１７】
所定の時間までに、利用者によって口座が選択されない場合は、利用者が表示された口座をはっきりと見ることができないと仮定し、口座の拡大表示を行う。
【００１８】
第６の態様に係る発明による自動販売機は、第１の態様乃至第５の態様のいずれか１の態様に記載の自動販売機において、前記口座拡大表示手段を作動させる作動ボタンを備える。
【００１９】
作動ボタンを備えるので、利用者の積極的意志によって、口座の拡大表示を行うことができる。利用者が拡大表示をして欲しいと考えたとき、作動ボタンによって随時また直ちに口座拡大表示手段を作動させることができる。視力の弱い利用者は、使用説明を受けることによって作動ボタンの存在を知ることができ、必要なときに拡大表示させることができる。口座の拡大表示は、拡大表示用の特別枠画面を用意して行ってもよいし、通常の口座表示画面上で行ってもよい。
【００２０】
請求項７に係る発明による自動販売機は、第１の態様乃至第６の態様のいずれか１の態様に記載の自動販売機において、前記拡大表示は、継続的に表示させる必要のない、他の表示に代えて表示させるように構成されている。
【００２１】
このように構成されているので、口座の表示のために設けられた、口座表示手段による口座表示の一部を、口座拡大表示手段によって拡大表示に代えて表示することができ、口座表示する画面と口座を拡大表示する画面を共通化することができる。継続的に表示させる必要のない他の表示とは、例えば、「お求めの金額に触れて下さい。・・・」等の案内文であってもよいし、購入口座になるはずのない口座が表示されている部分であってもよい（例えば、少額貨幣が投入されたときの、高額側の下２行の口座表示）。
【００２２】
【発明の実施の形態】
以下、本発明の実施の形態について、図面を参照して説明する。なお、各図において互いに同一あるいは相当する部材には同一符号を付し、重複した説明は省略する。
【００２３】
図１は、本発明による自動販売機としての自動券売機１の構成を示すブロック図である。自動券売機１は、不図示の商品としての乗車券を販売する。自動券売機１は、利用者が貨幣（紙幣、硬貨）を投入する貨幣投入口１１と、投入された貨幣を処理する貨幣処理装置１２と、釣銭（紙幣、硬貨）を送出し、利用者に返却する貨幣送出口１３とを備える。
【００２４】
自動券売機１は、さらに乗車券を発券する発券装置１９と、発券した乗車券を利用者に放出する券放出口２０とを備え、投入された貨幣の総額から口座を画定する口座画定手段２１と、接客表示部１７に口座を表示しさらに案内文を表示する口座表示手段としての表示手段２５と、接客表示部１７に口座を拡大表示する口座拡大表示手段２６とを備える。自動券売機１は、さらに貨幣処理装置１２と、接客表示部１７と、発券装置１９と、口座画定手段２１と、口座表示手段２５と、口座拡大表示手段２６とを制御する、主制御装置２を備える。主制御装置２は、貨幣の総額の演算を行う総額演算手段としての総額演算部１５と、貨幣の総額から逆両替演算を行う逆両替演算手段としての逆両替演算部１６とを備える。
【００２５】
貨幣投入口１１に投入された貨幣は貨幣処理装置１２に送られ、貨幣処理装置１２によって金種が識別される。金種が識別された貨幣はさらに金種ごとに振り分けられ収納される。貨幣処理装置１２により認識された貨幣の金種の情報は１枚ごとに、貨幣処理装置１２から主制御装置２の総額演算部１５に送られる。総額演算部１５は、１枚ごとの貨幣の金種の情報を基に金種ごとにその枚数を数え、投入された貨幣の総額を演算する。逆両替演算部１６は、総額演算部１５により演算された投入貨幣の総額をもとに逆両替演算を行う。逆両替演算部１６は逆両替演算に際して逆両替枚数の演算をも行う。逆両替演算、逆両替枚数については後述する。
【００２６】
接客表示部１７は、第１表示部２３と第２表示部２４とに分割されている。第１表示部２３には、表示手段２５によって、発売している乗車券に対応する口座が表示される。第２表示部２４には、表示手段２５により、乗車券の購入方法に関する情報等の案内文が表示され、口座拡大表示手段２６により後述のように画面を切り替えて、所定の口座が拡大して表示される。口座拡大表示手段２６は、第２表示部２４の画面切り替え、及び第２表示部２４での口座の拡大表示をせず、第１表示部２３に口座を拡大表示するようにしてもよい。
【００２７】
第１表示部２３と第２表示部２４とはともに、タッチパネルで構成されている。第１表示部２３に表示された口座の部分に利用者が接触することにより、接触された口座が選択されるので、タッチパネルの口座が表示される部分は口座選択ボタンの役割を果たす。よって、第１表示部２３は、口座選択ボタンＡ１〜Ａ１７を有する。図中スペースの都合上、口座選択ボタンＡ１、Ａ２、Ａ１７のみ表示する。
【００２８】
第２表示部２４の場合も同様に、画面の切り替え後、所定の口座が、第１表示部２３に表示された口座より拡大して拡大表示され、拡大表示された口座の部分に利用者が接触することにより、接触された口座が選択されるので、口座が表示される部分は口座選択ボタンの役割を果たす。よって、第２表示部２４は、口座選択ボタンＢ１〜Ｂ１７を有する。図中スペースの都合上、口座選択ボタンＢ１、Ｂ２、Ｂ１７のみ表示する。口座選択ボタンＢ１〜Ｂ１７は、それぞれ口座選択ボタンＡ１〜Ａ１７に対応し、拡大表示したものである。
【００２９】
図２を参照して、接客表示部１７の構成を詳細に説明する。通常は図に示すように、表示手段２５（図１参照）によって第１表示部２３に口座が６列、４行に配置されている。口座が表示されている箇所を利用者が、指で接触すれば口座が選択されるので、口座表示箇所は口座選択ボタンＡ１〜Ａ１７でもある。口座選択ボタンの符号は１２０円のものがＡ１、２３０円のものがＡ７、３３０円のものがＡ１３であり、図中右に行くにしたがって数字が増え、２００円のものがＡ６、３１０円のものがＡ１２、４１０円のものがＡ１６、入場券（１２０円）がＡ１７である。煩雑さを避けるため、Ａ１、Ａ６、Ａ７、Ａ１２、Ａ１３、Ａ１６、Ａ１７のみ図示する（以下図３、図４で同様）。
【００３０】
ここで、例えば、２００円が貨幣投入口１１（図１参照）に投入されたとすると、不図示の投入金表示器には２００円が表示され、口座の選択が可能となる。ここで表示手段２５により２００円までの口座の表示の態様が変更され（例えば黒字で数字が表示されていたものが、白抜きの数字になるように表示が反転する。）、利用者は２００円までを選択することができる。第２表示部２４には、通常は、表示手段２５により利用者に対する案内文が表示されている。
【００３１】
図３に示すように、貨幣が投入された後、口座が選択されずに所定時間経過すると、口座拡大表示手段２６（図１参照）は第２表示部２４の案内文の表示を消して、口座を拡大して表示するよう割り付けられた部分に、後述のように画定された口座を、拡大表示する。前述のように、拡大口座が表示されている箇所を利用者が、指で接触すれば口座が選択されるので、口座表示箇所は口座選択ボタンＢ１〜Ｂ１７でもある。口座選択ボタンＢ１〜Ｂ１７の符号の数字の部分が、口座選択ボタンＡ１〜Ａ１７の符号の数字の部分と同じものは金額が同じである。拡大表示されたとき利用者は、既に表示態様が変更されている第１表示部２３の２００円までの口座の口座選択ボタンＡ１〜Ａ６のうちいずれかを選択してもよいし、第２表示部２４に拡大表示されている２００円までの口座の口座選択ボタンＢ１〜Ｂ６のうちいずれかを選択してもよい。
【００３２】
第２表示部２４に拡大表示されても、表示手段２５（図１参照）が、既に第１表示部２３に表示されている口座の表示を消さずに表示し続けるのは、例えば、利用者が第１表示部２３で探し出した口座を選択する途中で、表示が変わってしまうことによる利用者の混乱を防止するためである。口座拡大表示手段２６によって第２表示部２４に拡大表示するのは、利用者が選択しようとしていると推定される口座を後述のように画定し、視力の弱い利用者が、希望する口座を選択し易いようにするためである。
【００３３】
なお、本実施の形態によると、１００円以下の口座は存在しないが、１００円以下の口座が存在する場合であっても、１００円を拡大表示せず、１２０円から２００円までの口座を拡大することが望ましい。拡大表示できるスペースは限られており、１００円刻みで口座の選択の幅を予測し、予測した幅で拡大表示すれば十分であると考えられるからである。
【００３４】
また、図４に示すように、１５０円が投入され、投入後所定時間が経過したときには、１２０円から１５０円までの口座を画定し口座拡大表示手段２６（図１参照）によって第２表示部２４に拡大表示するとよい。２００円を投入したときに比べて、利用者が選択しようとしていると推定される口座の数が少なくなり、数が少ない分大きく表示ができるからである。
【００３５】
図５に示すように、口座拡大表示手段２６（図１参照）が第２表示部２４の案内文の表示を消して口座を拡大表示させるのではなく、第１表示部２３の下側２行の表示を消去して、その消去したスペースに拡大表示するようにしてもよい。この場合表示手段２５（図１参照）は、案内文を第２表示部２４に表示し続けることができる。また、利用者が拡大表示を望むときに、押す（作動させる）ことによって口座拡大表示手段２６（図１参照）に拡大表示をさせる作動ボタン２２を設けてもよい。作動ボタン２２を押して、所定時間の経過を待たずに拡大表示させることができる。
【００３６】
五百円硬貨、千円札、五千円札、一万円札が１枚だけ投入されたときには、釣銭放出を前提として投入され、利用者が購入しようとしていると考えられる口座の数が多すぎるため、口座の拡大表示は行わない。
【００３７】
図６を参照し、適宜図１を参照して、自動券売機１の作用を説明する。
貨幣投入口１１に貨幣投入が行われたか否かを判断する（ステップＳ１）。貨幣の投入が行われると（ステップＳ１がＹＥＳの場合）、貨幣処理装置１２（図１参照）による金種の判別、総額演算部１５による総額算出、逆両替演算部１６による逆両替演算が行われる（ステップＳ２）。算出された総額、逆両替演算の結果に基づいて、口座画定手段２１による口座画定と、第１表示部２３（図１参照）における口座表示が行われる（ステップＳ３）。同時に料金表示器（図示せず）に総額の表示が行われる（図示せず）。
【００３８】
次に口座の選択がなされたか否かが判断され（ステップＳ４）、口座の選択がなされていない場合（ＮＯの場合）、貨幣の投入後所定時間経過しているか否かが判断される（ステップＳ５）。この所定の時間は、例えば５秒から１０秒程度とするとよい。あまり短いと、利用者がまだ次の貨幣を投入しようとしている間に表示されてしまうし、長すぎると小さい表示で無理に購入されてしまう結果押し間違いが生じてしまう。
【００３９】
所定時間が経過していない場合（ＮＯの場合）、口座選択の有無の判断が再び行われる（ステップＳ４）。所定時間経過していれば（ＹＥＳの場合）、利用者が口座選択に手間取っているとして第２表示部２４（図１参照）に画定された口座の拡大表示を行う（ステップＳ６）。このため利用者が簡単に口座の選択を行えるようになる。その後に口座選択の有無の判断が再び行われる（ステップＳ４）。口座の選択がなされた場合には（ＹＥＳの場合）、釣銭算出が行われ（ステップＳ７）、券放出口２０への乗車券放出、貨幣送出口１３への釣銭放出が行われ（ステップＳ８）、終了する。
【００４０】
次に、投入された貨幣の総額に基づいて、逆両替演算を行う方法について説明する。逆両替演算とは、投入された貨幣の総額に基づき、自動券売機１が取り扱う各金種への枚数の割り振りを、割り振り後の各金種の各合計金額が、より高額な金種の貨幣１枚の額に達しないように行うことをいう。すなわち、十円硬貨、百円硬貨、千円札が最大４枚まで、五十円硬貨、五百円硬貨、五千円札が最大１枚までになるように割り振ることをいう。自動券売機１は一円硬貨、五円硬貨は取り扱わない。逆両替枚数とは、このように割り振られた各金種の枚数をいう。また、投入された貨幣のうち、ある金種の貨幣の総額がより高額な貨幣の１枚の額に等しいかまたはその額を超えるときに、逆両替演算を行う。投入された貨幣のうち、各金種の貨幣の総額がより高額な貨幣の１枚の額に達しないときは、逆両替演算を行わず、各金種の投入枚数をそれぞれ各金種の逆両替枚数とする。
【００４１】
例えば、五十円硬貨が５枚投入され、総額が２５０円の場合は、五十円硬貨の総額が２５０円であり、五十円硬貨より高額である百円硬貨１枚の額を超えるので逆両替演算を行う。逆両替演算の結果は、百円硬貨が２枚、五十円硬貨が１枚であり、百円硬貨の逆両替枚数が２枚、五十円硬貨の逆両替枚数が１枚である。十円硬貨が１７枚投入され、総額が１７０円の場合、十円硬貨の総額がより高額な貨幣である五十円硬貨１枚の額を超えるので、逆両替演算を行う。逆両替演算の結果は、百円硬貨が１枚、五十円硬貨が１枚、十円硬貨が２枚である。
【００４２】
次に、投入された貨幣の総額に基づいて、口座画定手段２１が口座を画定する作用について説明する。まず、投入された貨幣の総額Ｔ円に基づいて、前述のように逆両替演算を行う。１２０円以上の乗車券を発売する場合を想定して以下の説明を行う。２枚以上の貨幣が投入されることを条件とし、額の大きい方から順にＰ円、Ｑ円、Ｒ円に逆両替され、それぞれの枚数がＸ枚、Ｙ枚、Ｚ枚であるとすると、Ｔ＝Ｐ×Ｘ＋Ｑ×Ｙ＋Ｒ×Ｚ  が成立する。ここでＱ＞Ｒ×Ｚ、Ｐ＞Ｑ×Ｙである。
【００４３】
▲１▼Ｙ≠０またはＺ≠０の場合は、Ｐ×Ｘ円を超えＴ円以下の範囲の口座を拡大表示する。
▲２▼Ｙ＝０かつＺ＝０の場合は、Ｐ×（Ｘ−１）円を超えてＴ円（＝Ｐ×Ｘ円）以下の範囲の口座を拡大表示する。
五百円硬貨、千円札、五千円札、一万円札のいずれかが１枚投入された場合は、拡大表示を行わない。釣銭の放出を前提として投入され、画定されるであろう口座の数が大きすぎるからである。
【００４４】
図７を参照し、前述の口座を画定する方法について具体的に説明する。投入される金種が百円硬貨、五十円硬貨、十円硬貨に限定されると仮定する。例１では、百円硬貨が２枚で総額が２００円、例２では、百円硬貨が１枚、五十円硬貨が１枚で総額１５０円、例３では、百円硬貨１枚、五十円硬貨が２枚で、総額が２００円となるよう、それぞれ投入されたとする。例３のみ逆両替演算を行い、逆両替演算結果は、百円硬貨が２枚となる。例１、例２では各金種の投入枚数を、それぞれ各金種の逆両替枚数とする。
【００４５】
例１の場合は、Ｙ＝０かつＺ＝０であるから▲２▼を適用する。Ｘ＝２であるから１００円×（２−１）＝１００円を超えて２００円以下の範囲、すなわち図３に示すように１２０円から２００円の範囲に含まれる口座（１２０円、１３０円、１５０円、１７０円、１９０円、２００円の口座）を画定し、第２表示部２４に拡大表示することになる。入場券の料金は１２０円であるが、入場券の口座の拡大表示は行わない。
【００４６】
例２の場合には、Ｙ＝１（Ｙ≠０）であるから▲１▼を適用する。Ｘ＝１であるから１００円×１＝１００円を超え１５０円以下の範囲、すなわち図４に示すように１２０円から１５０円の範囲に含まれる口座（１２０円、１３０円、１５０円）を画定し、第２表示部２４に拡大表示する。
【００４７】
例３の場合は、百円硬貨、五十円硬貨、十円硬貨の投入枚数をそれぞれＸ０、Ｙ０、Ｚ０とすれば、Ｘ０＝１、Ｙ０＝２、Ｚ０＝０であり、五十円硬貨の総額が百円硬貨１枚の額に等しいので逆両替演算を行う。逆両替演算を行うと、Ｘ＝２、Ｙ＝０、Ｚ＝０となる。よって前述の▲２▼を適用し、１００円×（２−１）＝１００円を超えて２００円以下の範囲、すなわち図３に示すように１２０円から２００円の範囲に含まれる口座（１２０円、１３０円、１５０円、１７０円、１９０円、２００円の口座）を画定し、第２表示部２４に拡大表示する。
【００４８】
口座画定手段２１は以下のように口座を画定するように構成してもよい。
図２に示すように、口座の料金が構成されているとし、１００円刻みで口座の数を数えると最大が６口座であり、６口座を表示すれば足りると考えることができる。このことに注目して、投入貨幣の総額で購入することができる口座を料金が高い順に６口座画定し、第２表示部２４に拡大表示してもよい。この場合にも視力の弱い利用者であっても、容易に口座を選択することができる。
【００４９】
【発明の効果】
以上のように本発明によれば、口座画定手段と口座拡大表示手段とを設けたので、投入された貨幣の総額に基づいて所定の口座を画定し、画定した口座を拡大表示することができるので、利用者が口座を視認し易くなり、容易に口座を選択することができる。
【図面の簡単な説明】
【図１】本発明の実施の形態に係る自動券売機の構成を示すブロック図である。
【図２】図１に示す自動券売機の接客表示部の構成を表示する模式図である。
【図３】２００円が投入されたとき、図１に示す自動券売機の接客表示部の第２表示部に口座拡大表示する場合を示す模式図である。
【図４】１５０円が投入されたとき、図１に示す自動券売機の接客表示部の第２表示部に口座拡大表示する場合を示す模式図である。
【図５】１５０円が投入されたとき、図１に示す自動券売機の接客表示部の第１表示部に口座拡大表示する場合を示す模式図である。
【図６】図１に示す自動券売機の作用を示すフローチャートである。
【図７】図１に示す自動券売機の口座の画定方法を説明する図表である。
【図８】従来の表示部の７セグメントのＬＥＤを示す図である。
【符号の説明】
１  自動券売機
２  主制御装置
１１  貨幣投入口
１２  貨幣処理装置
１３  貨幣送出口
１５  総額演算部
１６  逆両替演算部
１７  接客表示部
１９  発券装置
２０  券放出口
２１  口座画定手段
２２  作動ボタン
２３  第１表示部
２４  第２表示部
２５  口座表示手段
２６  口座拡大表示手段
【図１】
0004528411.tif 000002
【図２】
0004528411.tif 000003
【図３】
0004528411.tif 000004
【図４】
0004528411.tif 000005
【図５】
0004528411.tif 000006
【図６】
0004528411.tif 000007
【図７】
0004528411.tif 000008
【図８】
0004528411.tif 000009